(57)【要約】【課題】  消費電流を削減し、連続使用時間を増加させることが可能な携帯端末装置を提供する。【解決手段】  制御部１３はＡＦＴ部１２１からのＡＦＴ電圧を監視し、受信状況に応じてＡＦＴ部１２１から出力されるＡＦＴ電圧を判定するためのしきい値をメモリ１４から読出し、ＡＦＴ電圧としきい値とを比較して受信良好の有無を判定する。制御部１３は受信良好であれば表示出力部１５及び音声出力部１６を制御して映像信号及び音声信号を出力させ、受信良好でなければ表示出力部１５及び音声出力部１６を制御して映像信号及び音声信号の出力を抑止する。【選択図】      図１                                                  
2005051570.tif 000002
【特許請求の範囲】
【請求項１】
少なくともテレビチューナを搭載し、映像信号を表示出力部から表示するとともに、音声信号を音声出力部から出力する携帯端末装置であって、テレビチャネル選局時にその受信状況を判定する判定手段と、前記判定手段の判定結果に応じて前記表示出力部及び前記音声出力部の少なくとも一方を制御する制御手段とを有することを特徴とする携帯端末装置。
【請求項２】
前記制御手段は、前記判定手段で受信良好と判定された時に前記映像信号及び前記音声信号を前記表示出力部及び前記音声出力部から出力させかつ前記判定手段で受信良好と判定されなかった時に前記映像信号及び前記音声信号の前記表示出力部及び前記音声出力部からの出力を抑止することを特徴とする請求項１記載の携帯端末装置。
【請求項３】
前記判定手段は、前記テレビチャネル選局中の受信状況に伴う周波数ずれを変換したＡＦＴ（Ａｕｔｏｍａｔｉｃ  Ｆｉｎｅ  Ｔｕｎｉｎｇ）電圧と受信レベル信号とのうちの少なくとも一方を監視して前記受信状況を判定することを特徴とする請求項１または請求項２記載の携帯端末装置。
【請求項４】
前記制御手段は、前記判定手段による前記受信状況の判定結果と外部からのユーザの設定とに応じて前記音声出力部を制御することを特徴とする請求項１から請求項３のいずれか記載の携帯端末装置。
【請求項５】
前記制御手段は、前記判定手段による前記受信状況の判定結果と外部からのユーザの設定とに応じて前記表示出力部及び前記音声出力部を制御することを特徴とする請求項１から請求項３のいずれか記載の携帯端末装置。
【請求項６】
少なくともテレビチューナを搭載し、映像信号を表示出力部から表示するとともに、音声信号を音声出力部から出力する携帯端末装置の表示／音声制御方法であって、前記携帯端末装置側に、テレビチャネル選局時にその受信状況を判定するステップと、その判定結果に応じて前記表示出力部及び前記音声出力部の少なくとも一方を制御するステップとを有することを特徴とする表示／音声制御方法。
【請求項７】
前記表示出力部及び前記音声出力部の少なくとも一方を制御するステップは、前記判定結果が受信良好の時に前記映像信号及び前記音声信号を前記表示出力部及び前記音声出力部から出力させかつ前記判定結果が受信良好でない時に前記映像信号及び前記音声信号の前記表示出力部及び前記音声出力部からの出力を抑止することを特徴とする請求項６記載の表示／音声制御方法。
【請求項８】
前記受信状況を判定するステップは、前記テレビチャネル選局中の受信状況に伴う周波数ずれを変換したＡＦＴ（Ａｕｔｏｍａｔｉｃ  Ｆｉｎｅ  Ｔｕｎｉｎｇ）電圧と受信レベル信号とのうちの少なくとも一方を監視して前記受信状況を判定することを特徴とする請求項６または請求項７記載の表示／音声制御方法。
【請求項９】
前記表示出力部及び前記音声出力部の少なくとも一方を制御するステップは、前記判定結果と外部からのユーザの設定とに応じて前記音声出力部を制御することを特徴とする請求項６から請求項８のいずれか記載の表示／音声制御方法。
【請求項１０】
前記表示出力部及び前記音声出力部の少なくとも一方を制御するステップは、前記判定結果と外部からのユーザの設定とに応じて前記表示出力部及び前記音声出力部を制御することを特徴とする請求項６から請求項８のいずれか記載の表示／音声制御方法。
【請求項１１】
少なくともテレビチューナを搭載し、映像信号を表示出力部から表示するとともに、音声信号を音声出力部から出力する携帯端末装置の表示／音声制御方法のプログラムであって、コンピュータに、テレビチャネル選局時にその受信状況を判定する処理と、その判定結果に応じて前記表示出力部及び前記音声出力部の少なくとも一方を制御する処理とを実行させるためのプログラム。
【発明の詳細な説明】
【技術分野】
【０００１】
本発明は携帯端末装置及びそれに用いる表示／音声制御方法に関し、特にラジオやテレビのチューナ内蔵のヘッドホンステレオ機器や携帯電話端末等の携帯端末装置に関する。
【背景技術】
【０００２】
近年、ヘッドホンステレオ機器や携帯電話端末等の携帯機器においては、ＦＭ（Ｆｒｅｑｕｅｎｃｙ  Ｍｏｄｕｌａｔｉｏｎ）ラジオやＴＶ（テレビジョン）のチューナを内蔵する製品が市場に提供されている。
【０００３】
例えば、液晶テレビ付ヘッドホンステレオ機器においては、ヘッドホンステレオ機器内にＴＶのチューナを搭載し、筐体の開閉に伴ってＴＶ画像の出力モードのＯＮ／ＯＦＦ制御を行う機器が提案されている（例えば、特許文献１参照）。
【０００４】
【特許文献１】実開平０１−０５７８７０号公報
【発明の開示】
【発明が解決しようとする課題】
【０００５】
しかしながら、上述した従来の携帯機器では、ＦＭラジオやＴＶのチューナを内蔵することで、消費電流が増加し、連続使用時間の減少が見られる。また、ＬＣＤ（Ｌｉｑｕｉｄ  Ｃｒｙｓｔａｌ  Ｄｉｓｐｌａｙ）等の表示部の大型化に伴う消費電流の増加も否めない。
【０００６】
そこで、本発明の目的は上記の問題点を解消し、消費電流を削減することができ、連続使用時間を増加させることができる携帯端末装置及びそれに用いる表示／音声制御方法並びにそのプログラムを提供することにある。
【課題を解決するための手段】
【０００７】
本発明による携帯端末装置は、少なくともテレビチューナを搭載し、映像信号を表示出力部から表示するとともに、音声信号を音声出力部から出力する携帯端末装置であって、テレビチャネル選局時にその受信状況を判定する判定手段と、前記判定手段の判定結果に応じて前記表示出力部及び前記音声出力部の少なくとも一方を制御する制御手段とを備えている。
【０００８】
本発明による表示／音声制御方法は、少なくともテレビチューナを搭載し、映像信号を表示出力部から表示するとともに、音声信号を音声出力部から出力する携帯端末装置の表示／音声制御方法であって、前記携帯端末装置側に、テレビチャネル選局時にその受信状況を判定するステップと、その判定結果に応じて前記表示出力部及び前記音声出力部の少なくとも一方を制御するステップとを備えている。
【０００９】
本発明による表示／音声制御方法のプログラムは、少なくともテレビチューナを搭載し、映像信号を表示出力部から表示するとともに、音声信号を音声出力部から出力する携帯端末装置の表示／音声制御方法のプログラムであって、コンピュータに、テレビチャネル選局時にその受信状況判定する処理と、その判定結果に応じて前記表示出力部及び前記音声出力部の少なくとも一方を制御する処理とを実行させている。
【００１０】
すなわち、本発明の表示／音声制御方法は、ＴＶ（テレビ）チャネル選局時の受信状況に応じて、受信良好ならば映像信号と音声信号とを出力するが、受信良好でなければ映像信号及び音声信号の出力を抑止することで、消費電流の削減を可能としている。
【００１１】
また、本発明の表示／音声制御方法では、ＴＶチャネル選局時の受信状況を、受信良好、受信可能、受信不可能の三段階にわけ、各段階の受信状況において、音声出力モードを任意に制御することで、消費電流の削減を可能としている。
【００１２】
さらに、本発明の表示／音声制御方法では、ＴＶチャネル選局時の受信状況を、受信良好、受信可能、受信不可能の三段階にわけ、各段階の受信状況において、表示／音声出力モードを任意に制御することで、消費電流の削減を可能としている。
【００１３】
これによって、本発明の表示／音声制御方法では、ＴＶモジュール起動時にできるだけ消費電流を削減し、携帯機器の連続使用時間を増加させることが可能となる。
【００１４】
また、本発明の表示／音声制御方法では、ＴＶモジュールに内臓されているＡＦＴ（Ａｕｔｏｍａｔｉｃ  Ｆｉｎｅ  Ｔｕｎｉｎｇ）部による受信状態の判定結果と映像信号の表示／音声信号の出力とを連動させて制御している。ＡＦＴ電圧はＴＶチャネルを選局する際に、受信良好判定用として用いられるが、この受信状況の判定の結果と映像信号及び音声信号の出力とを連動させて制御し、消費電流を削減させ、携帯機器の連続使用時間を増加させている。
【発明の効果】
【００１５】
本発明は、以下に述べるような構成及び動作とすることで、消費電流を削減することができ、携帯端末装置の連続使用時間を増加させることができるという効果が得られる。
【発明を実施するための最良の形態】
【００１６】
次に、本発明の実施の形態について図面を参照して説明する。図１は本発明の実施の形態による携帯端末装置の内部構成を示すブロック図である。図１において、本発明の実施の形態による携帯端末装置１はチューナ部１１と、信号処理部１２と、制御部１３と、メモリ１４と、表示出力部１５と、音声出力部１６と、操作部１７とから構成されている。
【００１７】
チューナ部１１はＲＦ（Ｒａｄｉｏ  Ｆｒｅｑｕｅｎｃｙ）信号を周波数変換し、信号処理部１２はチューナ部１で周波数変換されたＲＦ信号から映像信号と音声信号とを出力する。また、信号処理部１２内にはＴＶチャンネル選局中の受信状況に伴う周波数ずれを電圧に変換するＡＦＴ（Ａｕｔｏｍａｔｉｃ  Ｆｉｎｅ  Ｔｕｎｉｎｇ）部１２１を備えている。
【００１８】
制御部１３はＡＦＴ部１２１からのＡＦＴ電圧を監視し、受信状況に応じた制御を行う。メモリ１４はＡＦＴ信号の受信良好判定用のしきい値及びユーザ操作によって設定される各しきい値に対する動作モードを格納するとともに、制御部１３が実行するプログラム（コンピュータで実行可能なプログラム）を格納する。表示出力部１５は映像信号の表示及び受信状況を知らせ、音声出力部１６は音声信号の出力を行い、操作部１７はユーザが操作を行うための入力機器である。
【００１９】
制御部１３は受信状況に応じて、ＡＦＴ部１２１から出力されるＡＦＴ電圧を判定するためのしきい値をメモリ１４から読出し、ＡＦＴ電圧としきい値とを比較して受信良好の有無を判定し、その判定の結果、ユーザが設定した動作モードにしたがって表示出力部１５及び音声出力部１６を制御する。
【００２０】
ＲＦ信号はチューナ部１１で周波数変換され、信号処理部１２に入力される。信号処理部１２は映像信号と音声信号とを制御部１３に出力し、制御部１３はそれら映像信号及び音声信号をそれぞれ表示出力部１５及び音声出力部１６に出力する。
【実施例１】
【００２１】
図２は本発明の一実施例による表示／音声制御処理を示すフローチャートである。本発明の一実施例による携帯端末装置は上記の図１に示す本発明の実施の形態による携帯端末装置１の内部構成と同様の構成となっているので、これら図１及び図２を参照して本発明の一実施例による表示／音声制御処理について説明する。尚、図２においては、ＴＶチャネル選局時に受信状況が受信良好か受信良好でないかを判定する際の制御を示している。尚、図２に示す処理は制御部１３がメモリ１４のプログラムを実行することで実現される。
【００２２】
携帯端末装置１ではまずチューナ部１１及び信号処理部１２の設定が行われ（図２ステップＳ１）、制御部１３はＡＦＴ部１２１からのＡＦＴ電圧とメモリ１４に格納されているしきい値Ａとを比較し、その比較結果から受信良好の有無を判定する（図２ステップＳ２）。
【００２３】
制御部１３はＡＦＴ電圧がしきい値Ａ１以上で、しきい値Ａ２以下であれば、受信良好と判定して表示出力部１５及び音声出力部１６を制御して映像信号及び音声信号の出力をＯＮとする（図２ステップＳ３）。その後、制御部１３は別チャネルの要求があれば（図２ステップＳ４）、ステップＳ１に戻って、再度、上記の各処理を行う。
【００２４】
制御部１３はＡＦＴ電圧がしきい値Ａ１未満、またはしきい値Ａ２より大きければ、受信良好でないと判定して表示出力部１５及び音声出力部１６を制御して映像信号及び音声信号の出力をＯＦＦする（図２ステップＳ５）。その後、制御部１３は前回の受信良好チャネル設定へ戻る要求があれば（図２ステップＳ６）、前回の受信良好チャネルの設定を行う（図２ステップＳ７）。尚、表示出力部１５には受信状況の情報を表示してもよい。
【００２５】
制御部１３は前回の受信良好チャネル設定へ戻る要求がなく（図２ステップＳ６）、別チャネルの要求があれば（図２ステップＳ４）、ステップＳ１に戻って、再度、上記の各処理を行う。
【００２６】
本実施例では、以上の処理を行うことによって、ＡＦＴ電圧を監視して受信良好ならば、通常通り音声出力部１６に音声信号を出力するが、受信良好でなければ音声出力部１６には音声信号を出力しないことによって、消費電流を削減することが可能となる。
【００２７】
また、本実施例では、表示出力部１５に受信状況が一目でわかるようなアイコン等を表示することによって、常に受信チャネルの受信状況を知らせることも可能である。さらに、本実施例では、受信良好判定用にＡＦＴ電圧ではなく、受信レベル信号を用いたり、それら両方を用いてもよい。
【実施例２】
【００２８】
図３及び図４は本発明の他の実施例による表示／音声制御処理を示すフローチャートである。本発明の他の実施例による携帯端末装置も上記の図１に示す本発明の実施の形態による携帯端末装置１の内部構成と同様の構成となっているので、これら図１と図３と図４とを参照して本発明の他の実施例による表示／音声制御処理について説明する。尚、本実施例においては、ＴＶチャネル選局時に受信状況の判定に使用するしきい値を、受信良好、受信可能、受信不可能の３パターン設けている。また、図３及び図４に示す処理は制御部１３がメモリ１４のプログラムを実行することで実現される。
【００２９】
携帯端末装置１ではまずチューナ部１１及び信号処理部１２の設定が行われ（図３ステップＳ１１）、制御部１３はＡＦＴ部１２１からのＡＦＴ電圧とメモリ１４に格納されているしきい値Ａとを比較し、その比較結果から受信良好の有無を判定する（図３ステップＳ１２）。
【００３０】
制御部１３はＡＦＴ電圧がしきい値Ａ１以上で、しきい値Ａ２以下であれば、受信良好と判定して表示出力部１５及び音声出力部１６からの映像信号及び音声信号の出力をＯＮとする（図３ステップＳ１３）。その後、制御部１３は別チャネルの要求があれば（図３ステップＳ１４）、ステップＳ１１に戻って、再度、上記の各処理を行う。
【００３１】
また、制御部１３はＡＦＴ電圧がしきい値Ａ１未満、またはしきい値Ａ２より大きければ、受信良好でないと判定してしきい値Ａよりさらに大きいしきい値範囲を有するしきい値Ｂを用い、ＡＦＴ電圧としきい値Ｂとを比較して受信良好の有無を判定する（図３ステップＳ１５）。
【００３２】
制御部１３はその判定した結果、ＡＦＴ電圧がしきい値Ｂ１以上で、しきい値Ｂ２以下ならば、表示出力部１５を制御して映像信号の出力をＯＮとする（図４ステップＳ１８）。また、制御部１３はしきい値Ｂ１未満、またはしきい値Ｂ２より大きい場合、前回の受信良好チャネル設定へ戻る要求があれば（図３ステップＳ１６）、前回の受信良好チャネルの設定を行う（図３ステップＳ１７）。
【００３３】
制御部１３は前回の受信良好チャネル設定へ戻る要求がなく（図３ステップＳ１６）、別チャネルの要求があれば（図３ステップＳ１４）、ステップＳ１１に戻って、再度、上記の各処理を行う。
【００３４】
一方、制御部１３は映像信号の出力をＯＮとした後、メモリ１４に格納されているユーザ設定が音声出力部１６からの音声信号の出力をＯＮにする設定でなければ（図４ステップＳ１９）、音声出力部１６からの音声信号の出力をＯＦＦとする（図４ステップＳ２０）。
【００３５】
また、制御部１３はメモリ１４に格納されているユーザ設定が音声出力部１６からの音声信号の出力をＯＮにする設定で（図４ステップＳ１９）、音声出力部１６からの音声信号の出力をレベル小で出力する設定であれば（図４ステップＳ２１）、音声出力部１６からの音声信号の出力をレベル小で出力する（図４ステップＳ２３）。制御部１３は音声出力部１６からの音声信号の出力をレベル小で出力する設定でなければ（図４ステップＳ２１）、音声出力部１６からの音声信号の出力をＯＮにする（図４ステップＳ２２）。
【００３６】
本実施例では、以上の処理を行うことによって、外部からのユーザの設定に応じて音声出力部１６の設定を行うことができ、ユーザの設定次第で消費電流の削減が可能となる。また、本実施例では、表示出力部１５に受信状況が一目でわかるようなアイコン等を表示することによって、常に受信チャネルの受信状況を知らせることも可能である。さらに、本実施例では、受信良好判定用にＡＦＴ電圧ではなく、受信レベル信号を用いたり、それら両方を用いてもよい。
【実施例３】
【００３７】
図５〜図７は本発明の別の実施例による表示／音声制御処理を示すフローチャートである。本発明の別の実施例による携帯端末装置も上記の図１に示す本発明の実施の形態による携帯端末装置１の内部構成と同様の構成となっているので、これら図１と図５〜図７とを参照して本発明の別の実施例による表示／音声制御処理について説明する。尚、本実施例においては、表示出力部１５においてもユーザ設定を可能としている。また、図５〜図７に示す処理は制御部１３がメモリ１４のプログラムを実行することで実現される。
【００３８】
携帯端末装置１ではまずチューナ部１１及び信号処理部１２の設定が行われ（図５ステップＳ３１）、制御部１３はＡＦＴ部１２１からのＡＦＴ電圧とメモリ１４に格納されているしきい値Ａとを比較し、その比較結果から受信良好の有無を判定する（図５ステップＳ３２）。
【００３９】
制御部１３はＡＦＴ電圧がしきい値Ａ１以上で、しきい値Ａ２以下であり、メモリ１４に格納されているユーザ設定が表示出力部１５からの映像信号の出力をＯＮにする設定であれば（図６ステップＳ３７）、表示出力部１５からの映像信号の出力をＯＮとする（図６ステップＳ３８）。また、制御部１３はメモリ１４に格納されているユーザ設定が表示出力部１５からの映像信号の出力をＯＮにする設定でなければ（図６ステップＳ３７）、表示出力部１５からの映像信号の出力をＯＦＦとする（図６ステップＳ３９）。
【００４０】
その後、制御部１３はメモリ１４に格納されているユーザ設定が音声出力部１６からの音声信号の出力をＯＮにする設定であれば（図６ステップＳ４０）、音声出力部１６からの音声信号の出力をＯＮにする（図６ステップＳ４２）。また、制御部１３はメモリ１４に格納されているユーザ設定が音声出力部１６からの音声信号の出力をＯＮにする設定でなければ（図６ステップＳ４０）、音声出力部１６からの音声信号の出力をＯＦＦにする（図６ステップＳ４１）。
【００４１】
一方、制御部１３はＡＦＴ電圧がしきい値Ａ１未満、またはしきい値Ａ２より大きければ、受信良好でないと判定してしきい値Ａよりさらに大きいしきい値範囲を有するしきい値Ｂを用い、ＡＦＴ電圧としきい値Ｂとを比較して受信良好の有無を判定する（図５ステップＳ３３）。
【００４２】
制御部１３はその判定した結果、ＡＦＴ電圧がしきい値Ｂ１以上で、しきい値Ｂ２以下であり、メモリ１４に格納されているユーザ設定が表示出力部１５からの映像信号の出力をＯＮにする設定であれば（図７ステップＳ４３）、表示出力部１５からの映像信号の出力をＯＮとする（図７ステップＳ４５）。また、制御部１３はメモリ１４に格納されているユーザ設定が表示出力部１５からの映像信号の出力をＯＮにする設定でなければ（図７ステップＳ４３）、表示出力部１５からの映像信号の出力をＯＦＦとする（図７ステップＳ４４）。
【００４３】
その後、制御部１３はメモリ１４に格納されているユーザ設定が音声出力部１６からの音声信号の出力をＯＮにする設定でなければ（図７ステップＳ４６）、音声出力部１６からの音声信号の出力をＯＦＦとする（図７ステップＳ４７）。
【００４４】
また、制御部１３はメモリ１４に格納されているユーザ設定が音声出力部１６からの音声信号の出力をＯＮにする設定で（図７ステップＳ４６）、音声出力部１６からの音声信号の出力をレベル小で出力する設定であれば（図７ステップＳ４８）、音声出力部１６からの音声信号の出力をレベル小で出力する（図７ステップＳ５０）。制御部１３は音声出力部１６の出力をレベル小で出力する設定でなければ（図７ステップＳ４８）、音声出力部１６の出力をＯＮにする（図７ステップＳ４９）。
【００４５】
さらに、制御部１３はしきい値Ｂ１未満、またはしきい値Ｂ２より大きい場合、前回の受信良好チャネル設定へ戻る要求があれば（図５ステップＳ３４）、前回の受信良好チャネルの設定を行う（図５ステップＳ３６）。その後、制御部１３は別チャネルの要求があれば（図５ステップＳ３５）、ステップＳ３１に戻って、再度、上記の各処理を行う。
【００４６】
さらにまた、制御部１３は前回の受信良好チャネル設定へ戻る要求がなく（図５ステップＳ３４）、別チャネルの要求があれば（図５ステップＳ３５）、ステップＳ３１に戻って、再度、上記の各処理を行う。
【００４７】
本実施例では、以上の処理を行うことによって、受信状況を判定する毎に外部からのユーザの設定に応じて表示出力／音声出力の制御を行い、より一層の消費電流の削減が可能となる。また、本実施例では、表示信号の出力をＯＦＦしている状態であっても、表示出力部１５に受信状況が一目でわかるようなアイコン等を表示することによって、常に受信チャネルの受信状況を知らせることも可能である。さらに、本実施例では、受信良好判定用にＡＦＴ電圧ではなく、受信レベル信号を用いたり、それら両方を用いてもよい。
【００４８】
このように、本発明では、ＴＶチャネル選局時にＡＦＴ電圧を監視し、ＡＦＴ電圧としきい値とを比較して受信良好の有無を判定した結果、受信良好ならば通常通り表示出力部１５／音声出力部１６にそれぞれ映像信号や音声信号を出力するが、受信良好でなければ、表示出力部１５／音声出力部１６には映像信号や音声信号を出力させないことによって、消費電流を削減することができる。
【００４９】
また、本発明では、ＴＶチャネル選局時にＡＦＴ電圧を監視し、ＡＦＴ電圧としきい値とを比較して受信良好の有無を判定した結果、受信状況に応じた音声出力部１６の制御を行うことによって、消費電流を削減することができる。
【００５０】
さらに、本発明では、ＴＶチャネル選局時にＡＦＴ電圧を監視し、ＡＦＴ電圧としきい値とを比較して受信良好の有無を判定した結果、受信状況に応じた表示出力部１５／音声出力部１１６の制御を行うことによって、より一層の消費電流の削減が可能となる。
【産業上の利用可能性】
【００５１】
本発明はラジオやテレビのチューナを内蔵していれば、ヘッドホンステレオ機器や携帯電話端末等の機器以外にも、ＰＤＡ（Ｐｅｒｓｏｎａｌ  Ｄｉｇｉｔａｌ  Ａｓｓｉｓｔａｎｔ）等の携帯端末装置にも適用可能である。
【図面の簡単な説明】
【００５２】
【図１】本発明の実施の形態による携帯端末装置の内部構成を示すブロック図である。
【図２】本発明の一実施例による表示／音声制御処理を示すフローチャートである。
【図３】本発明の他の実施例による表示／音声制御処理を示すフローチャートである。
【図４】本発明の他の実施例による表示／音声制御処理を示すフローチャートである。
【図５】本発明の別の実施例による表示／音声制御処理を示すフローチャートである。
【図６】本発明の別の実施例による表示／音声制御処理を示すフローチャートである。
【図７】本発明の別の実施例による表示／音声制御処理を示すフローチャートである。
【符号の説明】
【００５３】
１  携帯端末装置
１１  チューナ部
１２  信号処理部
１３  制御部
１４  メモリ
１５  表示出力部
１６  音声出力部
１７  操作部
１２１  ＡＦＴ部
【図１】
2005051570.tif 000003
【図２】
2005051570.tif 000004
【図３】
2005051570.tif 000005
【図４】
2005051570.tif 000006
【図５】
2005051570.tif 000007
【図６】
2005051570.tif 000008
【図７】
2005051570.tif 000009